(57)【特許請求の範囲】
【請求項１】
少なくともほぼ矩形状のベース面、該ベース面の横方向の一方に連接する側面、該側面に連接するカバー面、前記ベース面の横方向の他方に連接する側面、該側面に連接する糊代片、前記ベース面の縦方向の上方に連接する上面、該上面に連接する上蓋面、前記ベース面の縦方向の下方に連接する下面、該下面に連接する下蓋面とからなる一枚のブランクを組み立ててなる収納ケースであって、
前記カバー面にカバー面差し込み口を設け、前記下蓋面の下縁の一部に延設して前記カバー面差し込み口に差し込まれる下蓋面差し込み片を設けるとともに、前記下蓋面に下蓋面差し込み口を設け、前記上蓋面の上縁に前記下蓋面差し込み口に差し込まれる上蓋面差し込み片を設けたことを特徴とする収納ケース。
【請求項２】
前記下蓋面差し込み口を、前記下蓋面と前記下蓋面差し込み片との境界線の一部に線状に設けたことを特徴とする請求項１に記載する収納ケース。
【請求項３】
前記下蓋面差し込み口を、前記下蓋面に前記下蓋面と前記下蓋面差し込み片との境界線の一部を一辺とした略四辺形に設けたことを特徴とする請求項１に記載する収納ケース。
【請求項４】
前記カバー面の上辺に凹部を設け、内容物を取り出しやすくしたことを特徴とする請求項１乃至３のいずれかに記載する収納ケース。
【請求項５】
対向する前記側面を蛇腹状としたことを特徴とする請求項１乃至４のいずれかに記載する収納ケース。
【発明の詳細な説明】
【０００１】
【発明の属する技術分野】
本発明は、一枚のブランクから組み立てることができる収納ケースに関するもので、さらに、詳細には、開封する蓋が差し込み形式となっている収納ケースに関する。
【０００２】
【従来の技術】
従来、一枚のブランクから組み立てることができる収納ケースでは、上蓋面を下蓋面などに接着するか、あるいは上蓋面と下蓋面とを重ね合わせで係合することが多かった。
【０００３】
【発明が解決しようとする課題】
しかしながら、上記の偏平状の収納ケースの場合、接着剤を使用するという工程があることが多いが、糊代の巾が狭く接着加工が難しい。また、上蓋面と下蓋面とをただ係合するだけでは、再封が簡便ではないという問題があり、また、差し込み口が下蓋面の目立つ位置にあり、外観上好ましいものではなかった。
【０００４】
本発明は、上記のような事情に鑑みてなされたものであり、その目的とするところは、一枚の板紙のブランクから構成された収納ケースであって、簡単に組み立てることができ、特に上下の蓋を接着剤を使用することなく簡単に組み立てることができ、差し込み口が目立たず、外観上良好であり、軽量であり、そして使用後の廃棄処理が簡便である収納ケースを提供することにある。
【０００５】
【課題を解決するための手段】
上記のような課題を解決すべく検討した結果、本発明は、少なくともほぼ矩形状のベース面、該ベース面の横方向の一方に連接する側面、該側面に連接するカバー面、前記ベース面の横方向の他方に連接する側面、該側面に連接する糊代片、前記ベース面の縦方向の上方に連接する上面、該上面に連接する上蓋面、前記ベース面の縦方向の下方に連接する下面、該下面に連接する下蓋面とからなる一枚のブランクを組み立ててなる収納ケースであって、前記カバー面にカバー面差し込み口を設け、前記下蓋面の下縁の一部に延設して前記カバー面差し込み口に差し込まれる下蓋面差し込み片を設けるとともに、前記下蓋面に下蓋面差し込み口を設け、前記上蓋面の上縁に前記下蓋面差し込み口に差し込まれる上蓋面差し込み片を設けたことを特徴とする収納ケースである。
【０００６】
また、前記下蓋面差し込み口を、前記下蓋面と前記下蓋面差し込み片との境界線の一部に線状に設けるか、前記下蓋面に前記下蓋面と前記下蓋面差し込み片との境界線の一部を一辺とした略四辺形に設けたことを特徴とする。
さらに、前記カバー面の上辺に凹部を設け、内容物を取り出しやすくしたこと、さらにまた、対向する前記側面を蛇腹状としたことを特徴とする。
【０００７】
本発明によれば、一枚の板紙のブランクから構成された収納ケースであって、簡単に組み立てることができ、特に上下の蓋を接着剤を使用することなく簡単に組み立てることができ、差し込み口が目立たず、外観上良好であり、軽量であり、そして使用後の廃棄処理が簡便である収納ケースを得ることができる。
【０００８】
【発明の実施の形態】
以下に、図面を参照しながら、本発明について、詳しく説明する。
【０００９】
図１は本発明の収納ケースの一実施例を示す斜視図である。この収納ケース１では、ケース中央部のベース面１１を中心に、上下での上蓋面１３、下蓋面１５、および左右でのカバー面１７、糊代片１９で包むようにして組み立てられている。
【００１０】
本実施例の収納ケース１は、図２に示すような形状の１枚のブランク１０を組み立てることにより形成される。ここで、ブランク１０に使用される材料は紙、プラスチックなどがあげられ、組み立てた状態で内容物を保護できるような適度な剛性を備えている必要があり、厚みが０．２〜１．０ｍｍの範囲であることが好ましい。これらの点から主に板紙を使用し、また、好適な板紙の種類としては、コートボール、マニラボール（アイボリー、カード紙など）などがあげられる。
【００１１】
ブランク１０では、中央の部分を、矩形状のベース面１１とし、そのベース面部１１の上縁には、折れ線ａを介して上面１２を連接し、上面１２には、折れ線ｂを介して上蓋面１３を連接している。ベース面１１の下縁には、折れ線ｃを介して下面１４を連接し、下面１４には、折れ線ｄを介して下蓋面１５を連接している。また、ベース面１１の左右の一方の縁には、折れ線ｅを介して側面１７を連接し、側面１７には、折れ線ｆを介してカバー面１７を連接している。カバー面１７の下縁には下面（カバー面）２０を設けているが、必ずしも必要としない。ベース面１１のもう一方の縁には、折れ線ｇを介して側面１８を連接し、側面１８には、折れ線ｈを介して糊代片１９を連接している。また、上面１２、下面１４、側面１６、側面１７の巾は、この収納ケース１の高さとなり、同一寸法とする。
【００１２】
また、カバー面１７にはカバー面差し込み口２１を設け、下蓋面１５の下縁にはこのカバー面差し込み口２１に差し込まれる下蓋面差し込み片２２を設けている。下蓋面１５にも下蓋面差し込み口２３を設け、上蓋面１３の上縁にはこの下蓋面差し込み口２３に差し込まれる上蓋面差し込み片２４を設けている。
【００１３】
このカバー面差し込み口２１に差し込まれる下蓋面差し込み片２２は、下蓋面１５の下縁の一部に延設されているが、差し込んだ後、簡単には抜けにくく係止するように、下蓋面差し込み片２２の両端に切れ込みを入れた図２に示すような形状にすることが好ましい。また、下蓋面差し込み口２３に差し込まれる上蓋面差し込み片２４は、差し込みの出し入れが必要であり、図２−ａに示すように、上蓋面１３の上縁に延設された突起状であってもよいが、図２に示すように上蓋面１３の上縁の２か所に切れ込み２４ａを入れ、この切れ込み２４ａの間を上蓋面差し込み片２４とする形状が好ましい。この形状にすることにより、下蓋面１５の下縁を覆い隠すため、外観上すぐれたものになる。さらに、図２−ｂに示すような上蓋面１３の上部に切り込みによる突起状の上蓋面差し込み片２４であってもよい。
【００１４】
また、下蓋面差し込み口２３は、下蓋面１５と下蓋面１５の下縁の一部に延設した下蓋面差し込み片２２との境界線上の一部に設けている。この下蓋面差し込み口２３は、線状であってもよいが、図２に示すように下蓋面１５に、下蓋面１５と下蓋面１５に延設した下蓋面差し込み片２２との境界線上の一部を一辺とした略四辺形の下蓋面差し込み口２３にすることが好ましい。この形状にすることによって、上蓋面差し込み片２４が差し込み易くなる。いずれにせよ、下蓋面１５の下縁の線上に下蓋面差し込み口２３を設けることにより、外観上も優れたものになる。
【００１５】
また、カバー面の上辺に凹部２５を設け、内容物を取り出しやすくすることもできる。
【００１６】
図３は本発明の収納ケースの一実施例を組み立てる方法を説明する図である。この収納ケース１を組み立てる方法は、まず、材料の板紙を図２に示す形状に打ち抜き、同時に各折れ線を形成したブランク１０を製造する。
【００１７】
つぎに、図３−ａに示すように、そのブランク１０の糊代片１９を折れ線ｈで内側に折り返し、そして、図３−ｂに示すように、側面１６を折れ線ｅで内側に折り返し、カバー面１７をベース面１１をカバーするように糊代片１９と接着剤で貼りけることによって、図３−ｃに示すように、筒状に折り畳んだ状態に形成する。この状態において、保管、輸送などを行う。この加工は従来のサック貼りの工程で行うことができる。
【００１８】
なお、折り畳む方法としては、側面１８を折れ線ｇで内側に折り返し、そして、カバー面１７を折れ線ｆで内側に折り返し、カバー面１７と糊代片１９とを接着する方法もある。
【００１９】
つづいて、内容物を収納する時に、折り畳んだ状態から筒状に起こし、中にコンパクトディスク（ＣＤ）などの内容物を収納した後、上下の蓋を折り返すが、下方では、下面１４を折れ線ｃで内側に直角に折り曲げ、そして、下蓋面１５をカバー面１７の上に折れ線ｄで内側に直角に折り曲げる。この時、下蓋面１５の下縁に設けた下蓋面差し込み片２２をカバー面１７に設けたカバー面差し込み口２１に差し込むことにより、図３−ｄに示すように、下蓋面１５がカバー面１７に係止される。一方、上方では、上面１２を折れ線ａで内側に直角に折り曲げ、そして、上蓋面１３をカバー面１７の上に折れ線ｂで内側に直角に折り曲げ、図３−ｅに示すように、上蓋面１３の上縁に設けた上蓋面差し込み片２４を下蓋面差し込み口２３に差し込むことにより、上蓋面１３が下蓋面１７に係止され、本発明の収納ケース１が組み立てられる。内容物を収納した後に、接着剤などを使用することなく組み立てることができる。
【００２０】
つぎに、内容物がＣＤなどの板状である場合に好適な実施例を説明する。図４は本発明の収納ケースのさらに別の実施例である収納ケース１Ａを示す斜視図であり、図５はその収納ケース１Ａを構成する板紙からなるブランク１０Ａを示す展開図であり、そして図６は図４のＰ−Ｐ断面を示した断面図である。図１〜２に示す収納ケース１と同一または同様な部分には同一符号を付けて示している。
【００２１】
本実施例の収納ケース１Ａは、図５に示すような形状の１枚のブランク１０Ａを組み立てることにより形成される。その形状は若干異なっており、薄い板状の内容物を収納することから、側面１６、側面１８を蛇腹状にしている。具体的には、内側へ折り込めるように側面１６の中央に折れ線ｅ´、側面１７の中央に折れ線ｇ´を設ける。この蛇腹状の側面１６、１８の対向する谷部に、薄い板状の内容物２を挿入し、挟持することがきる。従って、薄い板状の内容物２は、収納ケース１Ａの中で浮いた状態で保持されることになる。
【００２２】
図７は本発明の収納ケースの別の実施例の組み立てる方法を説明する図である。この収納ケース１Ａを組み立てる方法は、まず、材料の板紙を図５に示す形状に打ち抜き、同時に各折れ線を形成したブランク１０Ａを製造する。
【００２３】
つぎに、図７−ａに示すように、そのブランク１０Ａの糊代片１９を折れ線ｈで内側に折り返し、そして、図７−ｂにすように、側面１６を折れ線ｅで内側に折り返し、カバー面１７を糊代片１９とを接着し、図７−ｃにすような折り畳まれた状態とする。この折り畳まれた状態で保管、輸送などが行われる。この糊代片１９の折り返し作業、そして、カバー面１７の折り返し作業などは、従来行われているサック貼り加工工程で行うことができる。
【００２４】
つづいて、内容物を収納する時には、折り畳まれた状態の収納ケース１Ａを起こすと同時に、側面１６の中央の折れ線ｅ、側面１８の中央の折れ線ｇを内側に折り込み、図７−ｄに示すように、蛇腹状とする。起こした収納ケース１Ａの蛇腹の対向する谷部に、図６に示すように、ＣＤなどの板状の内容物２が挿入され、山部の間で挟持される。
【００２５】
さらに、中に内容物を収納した後、収納ケース１と同様に、上下の蓋を折り返すが、下方では、下面１４を折れ線ｃで内側に直角に折り曲げ、そして、下蓋面１５をカバー面１７の上に折れ線ｄで内側に直角に折り曲げる。この時、下蓋面１５の下縁に設けた下蓋面差し込み片２２をカバー面１７に設けたカバー面差し込み口２１に差し込むことにより、図７−ｅに示すように、下蓋面１５がカバー面１７に係止される。一方、上方では、上面１２を折れ線ａで内側に直角に折り曲げ、そして、上蓋面１３をカバー面１７の上に折れ線ｂで内側に直角に折り曲げ、図７−ｆに示すように、上蓋面１３の上縁に設けた上蓋面差し込み片２４を下蓋面差し込み口２３に差し込むことにより、上蓋面１３が下蓋面１７に係止され、本発明の収納ケース１が組み立てられる。内容物２を収納した後に、接着剤などを使用することなく組み立てることができる。
【００２６】
【発明の効果】
本発明によれば、一枚の板紙のブランクから構成された収納ケースであって、簡単に組み立てることができ、特に上下の蓋を接着剤を使用することなく簡単に組み立てることができ、差し込み口が目立たず、外観上良好であり、軽量であり、そして使用後の廃棄処理が簡便である収納ケースを得ることができる。
【図面の簡単な説明】
【図１】本発明の収納ケースの一実施例を示す斜視図である。
【図２】本発明の収納ケースの一実施例のブランクを示す展開図である。
【図３】本発明の収納ケースの一実施例を組み立てる方法を説明する図である。
【図４】本発明の収納ケースの別の実施例を示す斜視図である。
【図５】本発明の収納ケースの別の実施例のブランクを示す展開図である。
【図６】本発明の収納ケースの別の実施例の図４のＰ−Ｐ断面を示す概略断面図である。
【図７】本発明の収納ケースの別の実施例の組み立てる方法を説明する図である。
【符号の説明】
１  収納ケース（一実施例）
１Ａ収納ケース（別の実施例）
２  内容物
１０  ブランク（一実施例）
１０Ａブランク（別の実施例）
１１  ベース面
１２  上面
１３  上蓋面
１４  下面
１５  下蓋面
１６  側面
１７  カバー面
１８  側面
１９  糊代片
２０  下面（カバー面）
２１  カバー差し込み口
２２  下蓋面差し込み片
２３  下蓋面差し込み口
２４  上蓋面差し込み片
２５  凹部
ａ〜ｋ折れ線
ｅ´  折れ線（蛇腹用）
ｇ´  折れ線（蛇腹用）
【図１】
0004108839.tif 000002
【図２】
0004108839.tif 000003
【図３】
0004108839.tif 000004
【図４】
0004108839.tif 000005
【図５】
0004108839.tif 000006
【図６】
0004108839.tif 000007
【図７】
0004108839.tif 000008